(57)【要約】【課題】  従来技術よりも更に安全性に優れた画鋲を提供する。【解決手段】  以下の要件（１）〜（４）を具備する画鋲組立体。（１）画鋲は、押圧面を形成する第一の面１０２と、前記第一の面１０２に対し直交方向に針１０４を突出させる第二の面１０６と、第一の面と第二の面とを連結する胴部１０８とを備える。（２）胴部１０８は、他方の針１０４’を収納する収納部１１０を有する。（３）収納部１１０は、第二の面１０６および胴部１０８の端部に設けられ、外側周囲方向に向かって開放されている。（４）一方の画鋲の胴部の収納部１１０に、他方の画鋲の針を収納し、第二の面１０６，１０６’が互いに略一致するように二個の画鋲が連結し画鋲組立体が形成される。【選択図】  図２
2010228439.tif 000002
【特許請求の範囲】
【請求項１】
以下の要件（１）〜（４）を具備する、二個の画鋲を連結させた画鋲組立体。
（１）前記画鋲は、押圧面を形成する第一の面と、針を突出させる第二の面と、前記第一の面と第二の面とを連結する胴部とを備える。
（２）前記胴部は、他方の針を収納する収納部をさらに有する。
（３）前記収納部は、前記第二の面および胴部の端部に設けられ、外側周囲方向に向かって開放されている。
（４）一方の画鋲の胴部の収納部に、他方の画鋲の針を収納することにより、前記第二の面が互いに略一致するように二個の画鋲が連結し、前記画鋲組立体が形成される。
【請求項２】
前記針および前記収納部の内側に係止手段を設け、前記二個の画鋲の連結を強固にしたことを特徴とする請求項１に記載の画鋲組立体。
【請求項３】
一方の画鋲と他方の画鋲が、磁力により互いに引き合うように構成されたことを特徴とする請求項１または２に記載の画鋲組立体。
【発明の詳細な説明】
【技術分野】
【０００１】
本発明は、二個の画鋲を連結させた画鋲組立体に関する。
【背景技術】
【０００２】
画鋲は古くから日常的に使用されてきた文房具である。約30年ほど前までは針の片側に押圧部としてディスクが設置されている構造のものが使用されていたが、この構造は誤って床等に落とした際にディスク面が床と平行に着地することが多く、この場合針は垂直に上を向き危険な状態を醸し出す。このため、誤って床等に落とした際にも、針が上を向くことのないよう押圧部の形状に工夫が加えられた画鋲が現在の主流になっている（従来技術１）。
【０００３】
図４は、従来技術１の画鋲を説明するための斜視図である。図４において、画鋲４０は、押圧面を形成する第一の面４０２と、第一の面４０２に対し直交方向に針４０４を突出させる第二の面４０６と、第一の面４０２と第二の面４０６とを連結する胴部４０８とを備えてなる。
【０００４】
上記とは別に、押圧したときにのみ針が突出する工夫が施された画鋲も提案されている（従来技術２。特許文献１参照）。
【０００５】
しかしながら、従来技術１および２の何れにおいても、画鋲をポケットに入れて持ち歩くことは安全面で問題がある。従来技術１による場合は突出している針が衣類を貫通し身体に達する危険がある。また、従来技術２による場合でも、例えば画鋲をズボンの後部ポケットに入れて着席した場合、ポケット内部には圧力がかかり針が突出し、衣類を貫通する恐れがある。
【０００６】
特許文献２には、一対の画鋲を含んでなり、該画鋲はそれぞれ頭部と、該頭部上に互いに接続する接続面を具えてなり、該接続面上には中心に中心点を具えてなり、一対の画鋲の接続面の偏った位置にそれぞれ頭部から外方向に延伸した針部と、接続面上から頭部の内部に向けて延伸した挿入孔を具えてなり、該挿入孔を互いの針部に対応させて針部を挿入して収納することができる構造からなることを特徴とする画鋲の連結体が開示されている。
図５〜６は、特許文献２に記載の画鋲の連結体を説明するための斜視図である。
図５において、画鋲５０は、上記の従来技術１と同様に、押圧面を形成する第一の面５０２と、第一の面５０２に対し直交方向に針５０４を突出させる第二の面５０６と、第一の面５０２と第二の面５０６とを連結する胴部５０８とを備えてなり、さらに、胴部５０８は、第二の面５０６を介して他方の針を収納する収納部５１０をさらに有している。
そして図６（ａ）に示すように、画鋲５０，５０’の針５０４，５０４’を対抗させ、互いの収納部５１０に針５０４，５０４’を挿入することにより、図６（ｂ）に示すように連結体が形成される。
しかしながら、この特許文献２の技術では、互いの収納部５１０に針５０４，５０４’を挿入することが例えば子供や老人にとっては困難であるとともに、挿入に失敗すると指を穿刺するという危険性がある。
【先行技術文献】
【特許文献】
【０００７】
【特許文献１】特開２００１−９６９８９号公報
【特許文献２】実用新案登録第３１２８５０１号公報
【発明の概要】
【発明が解決しようとする課題】
【０００８】
したがって本発明の目的は、従来技術よりも更に安全性に優れた画鋲を提供することにある。
【課題を解決するための手段】
【０００９】
請求項１に記載の発明は、以下の要件（１）〜（４）を具備する、二個の画鋲を連結させた画鋲組立体である。
（１）前記画鋲は、押圧面を形成する第一の面と、針を突出させる第二の面と、前記第一の面と第二の面とを連結する胴部とを備える。
（２）前記胴部は、他方の針を収納する収納部をさらに有する。
（３）前記収納部は、前記第二の面および胴部の端部に設けられ、外側周囲方向に向かって開放されている。
（４）一方の画鋲の胴部の収納部に、他方の画鋲の針を収納することにより、前記第二の面が互いに略一致するように二個の画鋲が連結し、前記画鋲組立体が形成される。
請求項２に記載の発明は、前記針および前記収納部の内側に係止手段を設け、前記二個の画鋲の連結を強固にしたことを特徴とする請求項１に記載の画鋲組立体である。
請求項３に記載の発明は、一方の画鋲と他方の画鋲が、磁力により互いに引き合うように構成されたことを特徴とする請求項１または２に記載の画鋲組立体である。
【発明の効果】
【００１０】
本発明によれば、従来技術よりも更に安全性に優れた画鋲を提供できる。
【図面の簡単な説明】
【００１１】
【図１】本発明の画鋲組立体における画鋲の一例を説明するための斜視図である。
【図２】本発明の画鋲組立体の形成方法の一例を説明するための斜視図である。
【図３】本発明の画鋲組立体における画鋲の別の例を説明するための斜視図である。
【図４】従来技術の画鋲を説明するための斜視図である。
【図５】特許文献２に記載の画鋲の連結体を説明するための斜視図である。
【図６】特許文献２に記載の画鋲の連結体の形成方法を説明するための斜視図である。
【発明を実施するための形態】
【００１２】
以下、本発明を図面を参照しながら更に詳しく説明する。
図１は、本発明の画鋲組立体における画鋲の一例を説明するための斜視図である。
図１の形態において、本発明に使用される画鋲１０は、押圧面を形成する第一の面１０２と、第一の面１０２に対し直交方向に針１０４を突出させる第二の面１０６と、第一の面１０２と第二の面１０６とを連結する胴部１０８とを備えてなる。
また、胴部１０８は、第二の面１０６を介して他方の針を収納する収納部１１０をさらに有し、収納部１１０は、第二の面１０６および胴部１０８の端部に設けられ、矢印Ａ方向に示す外側周囲方向に向かって開放されている。
なお、胴部１０８は、押圧方向において針１０４の突出長Ｌよりも長いサイズを有する。
なお、図１の形態では、第一の面１０２および第二の面１０６は平坦面として示したが、曲面であってもよい。
【００１３】
次の本発明の画鋲組立体の形成方法について説明する。
図２は、本発明の画鋲組立体の形成方法の一例を説明するための斜視図である。
図２（ａ）に示すように、まず、二個の画鋲１０，１０’を準備する。画鋲１０，１０’は、それぞれ同じ形状を有している。続いて、画鋲１０，１０’の針１０４，１０４’を対向させる。このとき、図２（ａ）の形態では、画鋲１０’の針１０４’と、画鋲１０の収納部１１０とが向き合っている。次に、図２（ｂ）に示すように、画鋲１０’の針１０４’を、画鋲１０の収納部１１０に収納し、第二の面１０６，１０６’が互いに略一致するように二個の画鋲を連結させ、本発明の画鋲組立体が形成される。
【００１４】
上記の形態では、画鋲１０’の針１０４’を画鋲１０の収納部１１０に収納させる際、針１０４’にかかる力の方向が、針１０４’の針先方向ではなく、該針先方向に直交する方向であるので、針先を指に穿刺する危険性がないという効果を奏する。
また、第二の面１０６，１０６’が互いに略一致するように二個の画鋲を連結していることから、画鋲組立体の表面積がより小さくなるとともに、収納に際しては嵩が小さくなるほか、第二の面は外側垂直方向からの力に晒され難くなるため、画鋲組立体は該方向からの力に対して外れにくくなり、安全性が高まる、というような効果を奏する。なお、本明細書でいう、第二の面が互いに略一致する、とは、画鋲連結体を形成した際に、第二の面の面積が５２％以上、好ましくは７２％以上、更に好ましくは９２％以上互いに接触して連結しているのが上記効果の点から好ましい。なお第二の面が曲面である場合は、この第二の面を平坦面と仮定したときの接触面積によって、上記％が算出される。
また、図示していないが、二個の画鋲１０，１０’を連結する際に、画鋲１０’の針１０４’と、画鋲１０の収納部１１０とを対向させずとも、針１０４’を第二の面１０６の端部（円周部）をスライドさせるように移動させれば、収納部１１０を探り当てることができ、老人や子供であっても画鋲組立体の形成が容易である。
【００１５】
収納部１１０は、図２（ａ）に示すように、第二の面１０６の端部から中心点Ｃ方向に向かって形成された溝部Ｍを有する。
溝部Ｍにおいて、中心点Ｃ方向の長さは、針１０４’を完全に収納すべく針１０４’の太さよりも長いのが好ましいが、針１０４’の針先を露出しないものであればとくに制限されない。また溝部Ｍは、一定の幅Ｗを有し、第一の面１０２に向かって胴部１０８の端部に伸びている。なお、図２の形態では、溝部Ｍは胴部１０８の長さ方向全体にわたり設けられているが、針１０４’の長さによって溝部Ｍの長さは増減するものである。溝部Ｍの該幅Ｗは、画鋲組立体の連結固定を良好にする目的で、針１０４’の太さとほぼ同じか、それよりも僅かに細いサイズを有する。一般的に胴部１０８は樹脂製であるので、幅Ｗが前記細いサイズを有していても、針１０４’を収納の際にかかる力によってある程度撓み、収納に問題は生じない。
【００１６】
図３は、本発明の画鋲組立体における画鋲の別の例を説明するための斜視図である。
図３における画鋲３０は、図２で説明した画鋲１０，１０’とほぼ同じ形状を有するが、針１０４および収納部１１０の一部に係止手段３０２，３０４を設けたことに特徴を有する。
針１０４の係止手段３０２は、一部拡大図Ｓ１に示すように、針１０４の側部に設けられた一対の切り込み部Ａ，Ａ’である。一方、収納部の係止手段３０４は、一部拡大図Ｓ２に示すように、第二の面１０６において溝部Ｍの幅Ｗの一部を狭部とせしめる山部Ｂ，Ｂ’である。
この形態において、本発明の画鋲組立体を形成する場合は、針１０４の側部に設けられた一対の切り込み部Ａ，Ａ’が、溝部Ｍに設けられた山部Ｂ，Ｂ’で係止され、二個の画鋲の連結がさらに強固となり好ましい。なお、山部Ｂ，Ｂ’間のサイズは、切り込み部Ａ，Ａ’での針１０４の太さとほぼ同じか、僅かに細いことが、上記と同様に好ましい形態である。
【００１７】
なお図示していないが、上記図１〜３の形態において、第二の面１０６に磁石を設け、一方の画鋲と他方の画鋲の第二の面が、磁力により互いに引き合うように構成すれば、画鋲組立体の連結がさらに強固となり好ましい。
【符号の説明】
【００１８】
１０，１０’  画鋲
１０２  第一の面
１０４，１０４’  針
１０６，１０６’  第二の面
１０８  胴部
１１０  収納部
３０２，３０４  係止手段
Ａ，Ａ’  切り込み部
Ｂ，Ｂ’  山部
Ｍ  溝部
【図１】
2010228439.tif 000003
【図２】
2010228439.tif 000004
【図３】
2010228439.tif 000005
【図４】
2010228439.tif 000006
【図５】
2010228439.tif 000007
【図６】
2010228439.tif 000008